(57)【特許請求の範囲】
【請求項１】
洗浄水タンク内にオーバーフロー管と前記オーバーフロー管を通って便器に補給水を供給する補給水吐水口を備え、前記洗浄水タンク内の貯水面と前記タンク側面及び蓋部材に囲まれた空間部で、前記オーバーフロー管の頂部より上部で、かつ前記補給水吐水口の直下位置にトイレ用溶解物を配置したことを特徴とする洗浄水タンク。
【請求項２】
洗浄水タンク内にオーバーフロー管と前記オーバーフロー管を通って便器に補給水を供給するための前記オーバーフロー管の頂部より下方に配置した補給水吐水口とを備え、トイレ用溶解物を前記オーバーフロー管内の前記補給水吐水口より下方に配置したことを特徴とする洗浄水タンク。
【発明の詳細な説明】
【０００１】
【発明の属する技術分野】
本発明は、トイレ空間の芳香、便器に供給する洗浄水への溶解に用いられるトイレ用溶解物を備えた洗浄水タンクに関する。
【０００２】
【従来の技術】
従来の芳香及び洗浄などに用いられるトイレ用溶解物は、（ａ）便器の洗浄水タンク一体型手洗器の吐水口直下に配置したり、（ｂ）洗浄水タンク内にトイレ用溶解物を投入して使用している。
【０００３】
【発明が解決しようとする課題】
前記従来の技術の（ａ）の場合、吐水口より出た水がトイレ用溶解物に当り水がはねて飛散し便器、床面を濡らしたり、また、この飛散した水にはトイレ用溶解物の色が着色していることがあり用便者の衣服、壁面、手洗器の周囲、床面等が汚れたりする等の問題があった。
（ｂ）の場合、洗浄水タンク内において内部に設けられた金具に引っ掛かって止水不良などの不具合を引き起こす恐れがあったり、トイレ用溶解物が必要以上に溶解してトイレ用溶解物の使用寿命が短くなる等の問題があった。
本発明は上記課題を解決し、水はねを起こさず止水不良などの不具合を起こさないトイレ用溶解物を備えた洗浄水タンクを提供することを目的とする。
【０００４】
【課題を解決するための手段】
このような目的を達成するために、請求項１記載の発明は、洗浄水タンク内にオーバーフロー管と前記オーバーフロー管を通って便器に補給水を供給する補給水吐水口を備え、前記洗浄水タンク内の貯水面と前記タンク側面及び蓋部材に囲まれた空間部で、前記オーバーフロー管の頂部より上部で、かつ前記補給水吐水口の直下位置にトイレ用溶解物を配置した洗浄水 タンクであることを要旨とする。
【０００５】
請求項２記載の発明は、洗浄水タンク内にオーバーフロー管と前記オーバーフロー管を通って便器に補給水を供給するための前記オーバーフロー管の頂部より下方に配置した補給水吐水口とを備え、トイレ用溶解物を前記オーバーフロー管内の前記補給水吐水口より下方に配置しことを特徴とする洗浄水タンクであることを要旨とする。
【００１１】
【作用】
本発明では、便器に補給水を供給する補給水吐水口からの吐出水がトイレ用溶解物に当たって溶解して水に混入され、オーバーフロー管を通って直接便器に供給される。また、この場合もトイレ用溶解物に当たって飛散した水はタンク内に封じ込められる。
【００１６】
【発明の実施の形態】
本発明を図面をもとに説明する。
【００１７】
図１から図３に、洗浄水タンクの一例を示す。図１に洗浄水タンク１の断面を示す。２は洗浄水タンク１の満水状態の貯水面、３はフロート４の作動によって開閉を行う自動止水弁、５は自動止水弁３の２次側に設けられた洗浄水タンク１内へ洗浄水を吐出する洗浄水吐水口、６は洗浄水吐水口５の直下で貯水面２より上位置に配設されトイレ用溶解物７を保持する保持具である。８はオーバーフロー管で下流側は便器の給水口（図示せず）に連絡している。９は自動止水弁３の２次側に連結し便器に補給水を供給する補給水管でその開口端はオーバーフロー管８の頂部開口部から管内に挿入している。１０は洗浄水タンク１の外部の設けられた給水管で、自動止水栓３の１次側に接続している。１１は自動止水栓３の２次側から分岐して接続された手洗い用吐水具である。１２は洗浄水タンク１の上部に配設した蓋部材である。上記において、トイレ用溶解物７は洗浄水タンク１の内側面と、貯水面２と、蓋部材１２で形成される空間部に配置された状態となる。
【００１８】
次に、トイレ用溶解物７の溶解動作について説明する。用便後、便器に洗浄水を供給するために洗浄水タンク１の下部底部に設けた排水弁を開け、貯水面２の水位の降下に伴ってフロート４が降下する。フロート４が降下すると自動止水栓３が開き、洗浄水吐水口５から給水管１０からの供給水が吐水し、トイレ用溶解物７に当たってトイレ用溶解物７溶解し供給水に混じって洗浄水タンク１内に落下する。
所定量の洗浄水が便器に供給され、排水弁が閉じ洗浄水タンク１内の水位の上昇に伴ってフロート４が初期状態となると自動止水栓３が閉じ、洗浄水タンク１の水位が貯水面２の位置となり貯水が完了する。
【００１９】
図２、図３は、図１のトイレ用溶解物７を洗浄水タンク１の外部から前記洗浄水吐水口５の直下位置に搬入及び搬出するための搬入搬出手段を備えた洗浄水タンクの部分断面図である。  図２はトイレ用溶解物７を搬入した状態で、図３はトイレ用溶解物７を搬入した状態である。
前記搬入搬出手段は洗浄水タンク１の側面に設けた開口部１３、トイレ用溶解物７を保持する保持具１４、保持具１４に連接して設けられた取手部１５で構成している。取手部１５は保持具１４を洗浄水タンク１内に押込んだ状態で前記開口部１３を隠蔽する形状をなしている。
保持具１４はオーバーフロー管８の頂部より高く、洗浄水吐水口５より低い位置に配置され、保持具１４の引出し時に貯水された水が洗浄水タンク１の外部に溢れることのないようにしている。
図３のようにストック用のトイレ用溶解物７’同時に配置しても良い。また、図２に示すように保持具１４には取手部１５側が高位置で、反対側が低位置となるように傾斜させた構成としているので、トイレ用溶解物７が溶けてなくなると、自動的にストック用のトイレ用溶解物７’が落ちるしくみとなっている。
また、このときトイレ用溶解物７と７'に、水に対して異なる着色をする成分を含ませておけば、洗浄や芳香などの効果が途切れる事なく、便器内の色の変化によって交換時を知る事ができる。さらに、変わりゆく色の変化も同時に楽しむことができる。
本実施例では、トイレ用溶解物７は自動止水栓３が開状態の間に吐出される供給水によって溶解されるので必要以上に溶解されることがない。
また、トイレ用溶解物７の溶解の状態確認、取換えなどのメンタナンスが蓋部材１２を取り外すことなく容易に行える。
【００２０】
図４から図６に、本発明の洗浄水タンクの実施例を示す。本実施例はトイレ用溶解物を洗浄水タンク内に配設したオーバーフロー管部に配置した洗浄水タンクを示す。図４に洗浄水タンク１の断面を示す。図５はトイレ用溶解物と保持具の分解図、図６はトイレ用溶解物を保持具へセットした後を示す斜視図である。２は洗浄水タンク１の満水状態の貯水面、３はフロート４の作動によって開閉を行う自動止水弁、５は自動止水弁３の２次側に設けられた洗浄水タンク１内へ洗浄水を吐出する洗浄水吐水口、８はオーバーフロー管で下流側は便器の給水口（図示せず）に連絡している。９は自動止水弁３の２次側に連結し便器に補給水を供給する補給水管でその開口端はオーバーフロー管８の頂部開口部から管内に挿入している。１０は洗浄水タンク１の外部の設けられた給水管で、自動止水栓３の１次側に接続している。１１は自動止水栓３の２次側から分岐して接続された手洗い用吐水具である。１２は洗浄水タンク１の上部に配設した蓋部材である。
【００２１】
２１は第１のトイレ用溶解物２２と、第２のトイレ用溶解物２３を保持する保持具である。保持具２１はオーバーフロー管８内に挿入され第１のトイレ用溶解物２２を保持する第１保持部２４と、オーバーフロー管８の頂部に着座する第２のトイレ用溶解物２３を保持する第２保持部２５とからなる。
第１保持部２４は円筒状でその外径はオーバーフロー管８の内径より小さく、円周面に複数の孔２６を穿設し、挿入端部２７で球状の第１のトイレ用溶解物２２を保持している。また、その内径は補給水管９の外径よりも大きく補給水管９が挿入される寸法となっている。
第２保持部２５は前記第１保持部２４との隣接部にリング状の第２のトイレ用溶解物２３を載置する載置部２８を備えた円筒状でその円周面に複数の孔２９を穿設している。また、前記載置部２８の内径は前記補給水管９の外径よりも大きく補給水管９が挿入される寸法となっている。また、リング状の第２のトイレ用溶解物２３はその内径が球状の第１のトイレ用溶解物２２、補給水管９が通過できるものを使用している。
【００２２】
図４に示すように、保持具２１に第１のトイレ用溶解物２２、第２のトイレ用溶解物２３を、保持具２１及び補給水管９をオーバーーフロー管８に取り付けた状態、即ち使用状態において、第１のトイレ用溶解物２２は補給水管９の補給水吐水口３０より下方位置、第１のトイレ用溶解物２２は補給水管９の補給水吐水口３０より上方位置で且つ貯水面２より上方位置に配置している。
【００２３】
次に、第１、２のトイレ用溶解物２２、２３の溶解動作について説明する。用便後、便器に洗浄水を供給するために洗浄水タンク１の下部底部に設けた排水弁を開け、貯水面２の水位の降下に伴ってフロート４が降下する。フロート４が降下すると自動止水栓３が開き、洗浄水吐水口５から給水管１０からの供給水が吐水し、補給水管９から前記供給水の一部が吐水する。
補給水管９からの吐水が第１のトイレ用溶解物２２に当たって溶解させ、第１保持部２４に穿設した複数の孔２６を通りオーバーフロー管８の内を落下して、便器の洗浄水供給口に流れ込む。
【００２４】
また、自動止水栓３が故障などで開状態のままであると、貯水面２が異常上昇してオーバーフロー管８から便器に排出され、洗浄水が常時排出される状態になる。このような異常状態のとき第２のトイレ用溶解物２３がオーバーフロー管８の頂部に達した水によって溶解される。第２のトイレ用溶解物２３が溶解した水がオーバーフロー管８内を落下して、第１のトイレ用溶解物２２をも溶解しながら便器の洗浄水供給口に流れ込む。
【００２５】
本実施例では、トイレ用溶解物は自動止水栓３が開状態の間に吐出される補給水によって溶解されるので必要以上に溶解されることがない。また、第１、２のトイレ用溶解物２２、２３の色を異ならせておくことにより、便器に流れ込んだ洗浄水の色を識別して自動止水栓３の異常を確認できる。
【００２６】
（他の実施例）
この例は、図１において洗浄水吐水口５の直下に第１のトイレ用溶解物を配置し、さらにオーバーフロー管９の頂部に図４と同様に第２のトイレ用溶解物を配置したものである。本実施例では、通常は洗浄水吐水口５からの吐水によって第１のトイレ用溶解物が溶解される。止水栓の異常により貯水面が上昇した場合、上昇した水によって第２のトイレ用溶解物が溶解され、オーバーフロー管内を通って便器に流れ込む。
【００２７】
なお、トイレ用溶解物に当たった水が洗浄水タンクの外に飛散しないようなトイレ用溶解物の配置として、図７、図８に示すものが考えられる。図７は手洗い器の排水口の裏側にトイレ用溶解物の保持具を配置した断面図を、図８は図７の保持具の斜視図を示す。洗浄水タンク１の上部に手洗い用吐水具４１を備えた手洗い器４２が配設されるもので、手洗い用吐水具４１からの吐水によってトイレ用溶解物を溶解する。手洗い器４２の下部には排水口４３が設けられている。前記排水口４３の洗浄水タンク１の内部に面する側にトイレ用溶解物４５の保持具４４を配置している。保持具４４と排水口４３との接続はネジ込み、嵌め込み、磁石等の着脱自在な構造が好ましい。また、保持具４４は複数の長孔４６が開口しており手洗い用吐水具４１からの水が排水口４３に流れ込み、トイレ用溶解物４５に当たりながら長孔４６を通って洗浄水タンク１内に落下する。この場合も、手洗い用吐水具４１から吐水している間だけ水がトイレ用溶解物４５に当たるので、トイレ用溶解物４５が必要以上に溶解されず使用寿命が長くなる。
【００２８】
【発明の効果】
本発明によれば、水はねを起こさず止水不良などの不具合を起こさないトイレ用溶解物を備えた洗浄水タンクが実現できる。また、トイレ用溶解物の取換え等のメンテナンスが容易で、止水不良が発生した場合にも容易に発見でき洗浄水の無駄な排出が防止できる。
【００２９】
【図面の簡単な説明】
【図１】洗浄水タンクの断面図である。
【図２】図１の洗浄水タンクにトイレ用溶解物の搬入搬出手段を備え、トイレ用溶解物を搬入した状態を示す部分断面図である。
【図３】図１の洗浄水タンクにトイレ用溶解物の搬入搬出手段を備え、トイレ用溶解物を搬出した状態を示す部分断面図である。
【図４】実施例に係る洗浄水タンクの断面図である。
【図５】実施例のトイレ用溶解物と保持具の分解図である。
【図６】実施例のトイレ用溶解物を保持具へセットした後を示す斜視図である。
【図７】手洗い器の排水口の裏側にトイレ用溶解物の保持具を配置した断面図である。
【図８】図７の保持具の斜視図である。
【図１】
0003659047.tif 000002
【図２】
0003659047.tif 000003
【図３】
0003659047.tif 000004
【図４】
0003659047.tif 000005
【図５】
0003659047.tif 000006
【図６】
0003659047.tif 000007
【図７】
0003659047.tif 000008
【図８】
0003659047.tif 000009